(57)【特許請求の範囲】
【請求項１】
カメラ本体の撮影用レンズの鏡胴にねじ着されて且つ開口部に内周溝を有するマウント部材と、所要のレンズ構成を成すレンズ群を有するレンズ本体とから成り、該レンズ本体の直径方向に対向して一対のボタン部材がレンズ本体に設けられると共に、該マウント部材の内周溝部分に係合可能な係合突起部が該ボタン部材に設けられ、ボタン部材は半円形状に造られて中央に押圧部を有し、該押圧部から左右に円弧状にアーム部が延び、各アーム部の一側に押圧部に隣接して係合突起部が設けられると共に、各アーム部の対向する先端部間にコイルバネが設けられたことを特徴とするコンバージョンレンズ装置。
【請求項２】
マウント部材の開口部に、内周溝に隣接して内方に突出した環状突起部が形成されていることを特徴とする請求項１のコンバージョンレンズ装置。
【発明の詳細な説明】
【０００１】
【産業上の利用分野】
この発明は補助レンズ装置の様なコンバージョンレンズ装置、特にビデオカメラ用や３５ミリカメラ用のコンバージョンレンズ装置に関するものである。
【０００２】
【従来の技術】
近年、ビデオカメラや３５ミリカメラ等は多種に亙り大量に造られており、特に、この様なビデオカメラにおいても３５ミリカメラと同様に近接位置での撮影や望遠または広角範囲の撮影等のためのコンバージョンレンズ装置の要望が高くなって来ている。従って、この様な要望に応じるように個々に適合したテレおよびワイドコンバージョンレンズ等が製作されて市販されている。
【０００３】
【発明が解決しようとする課題】
併し乍ら、この様なテレおよびワイドコンバージョンレンズ等は個々にねじ着等によってカメラ本体の撮影用レンズの鏡胴に取り付けなければならず、この様なネジ着式のコンバージョンレンズは取付け取外しが煩わしくて面倒であり且つ厄介でもある等の問題点が見られる。
【０００４】
また、マウント部にフックが有り、レンズ枠にボタンが有って、このフックの表面に形成されたネジ形の突起部が、ボタンの操作によってカメラ本体の撮影用レンズの鏡胴のネジにねじ係合されて取付けられるコンバージョンレンズが有るが、この様なコンバージョンレンズは正しい取付位置に位置合わせして取付けなければならず、また、保持力も弱く、触れたり僅かなショックでもカメラ本体から外れて落下し易い等の欠点が見られる。
【０００５】
従って、この発明の目的は、この様な従来における問題点を解決するために、カメラ本体に位置合わせすること無く、強い保持力で簡単に取付けることが出来て、落下の恐れも無く、種々なレンズ交換が出来るコンバージョンレンズ装置を提供することにある。
【０００６】
【課題を解決するための手段】
上述の目的を達成するために、この発明に依れば、コンバージョンレンズ装置は、カメラ本体の撮影用レンズの鏡胴にねじ着され且つ開口部に内周溝を有するマウント部材と、所要のレンズ構成を成すレンズ群を有するレンズ本体とから成り、該レンズ本体の直径方向に対向して一対のボタン部材がレンズ本体に設けられると共に、該マウント部材の内周溝部分に係合可能な係合突起部が該ボタン部材に設けられ、ボタン部材は半円形状に造られて中央に押圧部を有し、該押圧部から左右に円弧状にアーム部が延び、各アーム部の一側に押圧部に隣接して係合突起部が設けられると共に、各アーム部の対向する先端部間にコイルバネが設けられたことを特徴としている。
【０００７】
【作用】
上述の様に構成されたこの発明のコンバージョンレンズ装置はカメラ本体の撮影用レンズに、先ず、マウント部材をねじ着して取付けて置き、次いで、レンズ本体のボタン部材を押圧し乍らマウント部材の開口部にレンズ本体のボタン部材の係合突起部を差し込み、そこでボタン部材を離せば、ボタン部材のこの係合突起部がしっかりとマウント部材全周の内周溝にがっちりと嵌まり込んで強固に取付けられるので、レンズ本体がカメラ本体に強い保持力で取付けられ、所謂、ワンタッチでコンバージョンレンズ装置をカメラ本体に回転方向３６０°どの位置にでも取付けることが出来るし、また、この様なコンバージョンレンズ装置の取り外しも取付けと同様に簡単にボタン部材の押圧によってワンタッチで行うことが出来る。更に、マウント部材はレンズ用フードとしての役割を成すと共に、マウント部材をカメラに取付けた儘、使用すれば交換レンズの様に色々な他のレンズ交換が簡単且つ確実に出来る等の効果がある
【０００８】
この発明の他の目的や特長および利点は以下の添付図面に沿っての詳細な説明から明らかに成ろう。
【０００９】
【実施例】
図面の図１乃至図３にはこの発明のコンバージョンレンズ装置の一実施例が示されており、図示される様に、この発明のコンバージョンレンズ装置１は、ビデオカメラや３５ミリカメラ等のカメラ本体の撮影用レンズの鏡胴にねじ着されて開口部に内周溝５を有するマウント部材２と、所要のレンズ構成を成すレンズ群７を有するレンズ本体３とから成っており、レンズ本体３の直径方向に対向して一対のボタン部材９がレンズ本体３に設けられると共に、マウント部材２の内周溝５部分に係合自在な係合突起部２３がボタン部材９に設けられている。
【００１０】
先ず、図１には、この発明のコンバージョンレンズ装置１が、ワイドコンバージョンレンズ装置として示されており、ビデオカメラや３５ミリカメラ等のカメラ本体の撮影用レンズの鏡胴（図示されていない）のネジにねじ着されて固定されたマウント部材２の内周溝５部分にレンズ本体３が図示される様に離脱自在に連結される。
【００１１】
図示される様に、ビデオカメラや３５ミリカメラ等のカメラ本体に装着されるマウント部材２は、特に図４に明示される様に、環状を成しており、一側にねじ４が切られていて、このねじ４部分が、図示されていないビデオカメラや３５ミリカメラ等のカメラ本体の撮影用レンズの鏡胴のネジにねじ着されて取付けられる様に成っている。このマウント部材２の他側の開口部には内周溝５が設けられており、内方に軸心に向かって突出した環状突起部６がマウント部材２の開口部に形成されている。この様なマウント部材２はビデオカメラや３５ミリカメラ等のレンズフードを兼ねた中間リングとして作用して、ビデオカメラや３５ミリカメラ等のカメラ本体に取付けて置けば、ビデオカメラや３５ミリカメラ等の撮影用レンズを保護するように作用するものである。
【００１２】
この様なマウント部材２に取付けられるこの発明のコンバージョンレンズ装置１のレンズ本体３は、所要のレンズ構成を成すレンズ群７と、レンズ群７を保持する鏡胴８と、直径方向に対向していて内方に互いに押圧可能な一対のボタン部材９とから成っている。図示のレンズ群７はワイドレンズとして例えば２枚の凹レンズ１１、１２と１枚の凸レンズ１４とから構成されており、内側と外側の両側のレンズ押え１５、１６と中間の間座１７とによって凹レンズ１１、１２と凸レンズ１４が所要のレンズ構成をもって鏡胴部材１８に取付けられている。
【００１３】
レンズ群７は凹レンズ１１、１２と凸レンズ１４とを組み合わせた３枚構成のワイドレンズのレンズ群の１つとして設計されたものであるが、勿論、この様なレンズ群の外に、他の適宜なレンズ構成のテレおよびワイドコンバージョンレンズ等が任意に使用出来るものである。また、レンズ本体３の開口部には鏡胴８とレンズ押え１６の周りに天然または合成のゴム材料から造られたゴムリング１９が設けられていて、この発明のコンバージョンレンズ装置１の保護を図るようにしている。
【００１４】
レンズ本体３の直径方向に対向して設けられる一対のボタン部材９の１つが図５乃至図７に示されており、同一の２つのボタン部材９が対向して使用されることは明らかであろう。図示される様に、ボタン部材９は、例えばＡＢＳ樹脂の様な適宜な合成樹脂材料、或は軽合金等の適宜な材料から半円形状に造られ、中央に押圧部２１を有し、この押圧部２１から左右に円弧状に延びるアーム部２２が設けられており、これらアーム部２２の一側に押圧部２１に隣接して、フックとして作用する係合突起部２３が形成されている。
【００１５】
ボタン部材９の各係合突起部２３は、図６に明示される様に約４５°の範囲に亙って延びるよう設けられており、従って、一対のボタン部材９全体では約１８０°に亙っており、後述する様にマウント部材２に係合される時に、マウント部材２の内径部の内周溝５の約半分に亙って嵌合して取付けられるように成っている。各アーム部２２の先端部２４はアーム部２２よりも幾分小さな断面に造られていて、対向する一対のボタン部材２２のアーム部２２の先端部２４との間にコイルバネ２５（図１）が装着されて、アーム部２２を介して両ボタン部材９を直径方向外方に押圧している。
【００１６】
上述の様に構成されたこの発明のコンバージョンレンズ装置１のレンズ本体３を、ビデオカメラや３５ミリカメラ等のカメラ本体に取付けられたマウント部材２に装着するためには、これら一対のボタン部材９を押圧し乍らレンズ押え１５部分をマウント部材２に差し込んだ後にボタン部材９を離せば、ボタン部材９に夫々設けられた係合突起部２３がマウント部材２の開口部の内周溝５と環状突起部６に係合してしっかりと嵌合し、これによってレンズ本体３がマウント部材２に連結されるように成っている。この時に、マウント部材２の環状突起部６の内側と外側の両側面がボタン部材９の係合突起部２３の側面と鏡胴部材１８の側面とに亙ってしっかり接触係合するために取付保持力が高く成り、しっかり取付けられると同時に、光軸合わせも確実に行われ、また、レンズ本体３の落下防止も行われる。
【００１７】
逆に、この発明のコンバージョンレンズ装置１のレンズ本体３を、ビデオカメラや３５ミリカメラ等のカメラ本体に取付けられたマウント部材２から取り外すには、ボタン部材９を押圧し乍らレンズ本体３をマウント部材２から離すよう僅かに引き離せば、ボタン部材９の係合突起部２３がマウント部材２の内周溝５と環状突起部６から外れるのでレンズ本体３をマウント部材２、すなわちカメラ本体から分離することが出来る。
【００１８】
【発明の効果】
この様に構成されたこの発明のコンバージョンレンズ装置に依れば、例えば、ビデオカメラや３５ミリカメラ等のカメラ本体の撮影用レンズに、先ず、この発明のコンバージョンレンズ装置のマウント部材をねじ着して取付けて置き、次いで、コンバージョンレンズ装置のレンズ本体のボタン部材を押圧し乍らマウント部材の開口部にレンズ本体のボタン部材の係合突起部を差し込み、そこでボタン部材を離せば、ボタン部材のこの係合突起部がしっかりとマウント部材全周の内周溝にがっちりと嵌まり込んで強固に取付けられるので、レンズ本体がビデオカメラや３５ミリカメラ等のカメラ本体に強い保持力で取付けられ、所謂、ワンタッチで、この発明のコンバージョンレンズ装置をビデオカメラや３５ミリカメラ等のカメラ本体に回転方向３６０°どの位置でも簡単に取付けることが出来るし、また、コンバージョンレンズ装置の取り外しも同様に簡単にボタン部材の押圧によってワンタッチで行うことが出来る。更に、マウント部材はレンズ用フードとしての役割を成すと共に、マウント部材をカメラ本体に取付けた儘、使用すれば交換レンズの様に色々なレンズ交換が簡単且つ確実に出来る等の効果がある。
【図面の簡単な説明】
【図１】この発明のコンバージョンレンズ装置の縦断面図である。
【図２】図１に示されるこの発明のコンバージョンレンズ装置の側面図である。
【図３】図１に示されるこの発明のコンバージョンレンズ装置の背面図である。
【図４】マウント部材の縦断面図である。
【図５】ボタン部材の平面図である。
【図６】ボタン部材の正面図である。
【図７】ボタン部材の縦断面図である。
【符号の説明】
１    コンバージョンレンズ装置
２    マウント部材
３    レンズ本体
４    ねじ
５    円周溝
６    環状突起部
７    レンズ群
８    鏡胴
９    ボタン部材
１１  凹レンズ
１２  凹レンズ
１４  凸レンズ
１５  レンズ押え
１６  レンズ押え
１７  間座
１８  鏡胴部材
１９  ゴムリング
２１  押圧部
２２  アーム部
２３  突起部
２４  先端部
２５  コイルバネ
【図１】
0003719528.tif 000002
【図２】
0003719528.tif 000003
【図３】
0003719528.tif 000004
【図４】
0003719528.tif 000005
【図５】
0003719528.tif 000006
【図６】
0003719528.tif 000007
【図７】
0003719528.tif 000008